(57)【要約】【課題】ＮＥの新設／減設にも影響を受けることなく、常に実際のＮＥの収容状況と同期の取れた情報を管理することにより、顧客へのサービス提供や設備情報の更新に必要なコマンド投入を正確かつ迅速に実行可能とすること。【解決手段】ＯＳＳにおいて、常時、ＮＥのメッセージを監視し、コンフィグレーションデータ変更通知や再開（起動）通知の受信を契機に、ＮＥに対してコンフィグレーションデータの収集を実行し、ＮＥを特定するために必要な加入者番号や地域情報，装置情報を、ＮＥそのものを表わすノード名称，ＩＰアドレス，ＮＥ種別等と関連付けて設定ポリシー情報ＤＢに登録し、ＮＥに対してコマンドを投入する際に、振り分け機能部がコマンドの投入対象となるＮＥを設定ポリシー情報ＤＢから検索する（ステップ３１〜４１）ようにした。【選択図】　　　図４
2004080209.tif 000002
【特許請求の範囲】
【請求項１】
ＮＥのメッセージを監視し、コンフィグレーションデータの変更を示すメッセージの受信を契機にＮＥに対してコンフィグレーションデータの収集を実行し、ＮＥを特定するために必要な各種情報をＮＥそのものを表わす情報と関連付けて設定ポリシー情報ＤＢに登録するステップと、
上位ＯＳＳ装置またはＯＳＳクライアントから設定データを受信後、前記ＮＥを特定するために必要な各種情報が存在するか否かを確認し、抽出した前記ＮＥを特定するために必要な各種情報をキーとして設定情報ポリシーＤＢに検索要求を行うステップと、
検索結果として返信される前記ＮＥそのものを表わす情報を当該データの投入対象情報として、これを設定データの付加情報としてコマンド編集部に送信するステップ
とを有することを特徴とするＮＥ特定方法。
【請求項２】
前記ＮＥを特定するために必要な各種情報が、加入者番号，地域情報もしくは装置情報であり、また、前記ＮＥそのものを表わす情報が、ノード名称，ＩＰアドレスもしくはＮＥ種別であることを特徴とする請求項１に記載のＮＥ特定方法。
【請求項３】
複数の物理的なＮＥから構成されるＮＷにおけるコマンド投入支援システムであって、
顧客が要望するサービスやＮＥの装置増減設に必要な設備データを入力するための操作端末もしくは上位ＯＳＳと設定データを授受する通信手段と、
入力された設定データを受信して振り分け機能部に送るデータ受け付け部と、
前記ＮＥを特定するために必要な各種情報をＮＥそのものを表す情報と関連づけて格納した設定ポリシー情報ＤＢと、
ＮＥとの間のメッセージ送受信を常時監視し、予め決められたメッセージの検出を契機に前記設定ポリシー情報ＤＢが必要とするＮＥを特定するためのデータをＮＥから収集するポリシー情報収集部と、
前記データ受け付け部から送られた設定データを解析することにより、データを構成する一部である前記ＮＥを特定するための情報を抽出し、設定ポリシー情報ＤＢに対してこれらをキー情報に検索し、その結果抽出されるＮＥ情報から、前記入力された設定データの投入先となるＮＥを特定する論理を有する振り分け機能部と、
投入先となるＮＥの情報から、設定データを当該ＮＥが認識可能なコマンド構文に変換した後、実際にＮＥに対してコマンドの投入や応答メッセージの監視を行うコマンド編集部と
を有することを特徴とするコマンド投入支援システム。
【請求項４】
前記ＮＥを特定するために必要な各種情報が、加入者番号，地域情報もしくは装置情報であり、また、前記ＮＥそのものを表わす情報が、ノード名称，ＩＰアドレスもしくはＮＥ種別であることを特徴とする請求項３に記載のコマンド投入支援システム。
【発明の詳細な説明】
【０００１】
【発明の属する技術分野】
本発明はＮＥ特定方法およびこれを用いるコマンド投入支援システムに関し、より具体的には、ＮＷ（ネットワーク）上で展開する複数のＮＥ（ネットワーク・エレメント）に対して、顧客へのサービス提供やＮＥの設備情報更新時などに発生するデータの設定作業において、ＮＥの新設／削除に影響を受けることなく、ＯＳＳ（オペレーション・サポート・システム）に投入されたデータを確実かつ早期に対象ＮＥへ配信すること、さらに、常にＮＥと同期した情報を管理することによりデータの誤投入や投入漏れを防止することが可能なＮＥ特定方法およびこれを用いるコマンド投入支援システムに関する。
【０００２】
【従来の技術】
従来のコマンド振り分け、すなわちＮＥ特定方法では、コマンドの投入時に投入対象となるＮＥそのもののデータをデータの一部として同時に入力する方法とするか、あるいは、ＮＥの新設／減設、もしくはコンフィグレーションデータの変更時に予め設計データから必要な情報を抽出し、ＯＳＳ内部で保持する変換論理に直接記述する方法が用いられていた。
【０００３】
しかしながら、これらの方法では下記のような問題が存在した。
すなわち、前者においては、ＮＥの新設／減設、もしくはコンフィグレーションデータの変更時に、コマンドの投入漏れや誤投入が発生する要因となるという問題があった。
【０００４】
また、後者においては、ＯＳＳが収容しているＮＥに対するコマンド振り分け（ＮＥ特定）情報のデータ更新とＮＥのデータ更新に時間的な差異が発生するため、両者のデータを同期させる処理が必要となり、さらにその間はコマンド投入を一時的に停止しなければならず、操作性を低下させるという問題があった。
【０００５】
ＮＷを構成する複数のＮＥは、顧客へのサービス提供や設備情報の更新に対して正確かつ迅速に対応することが要求される。しかし、上述の世に、従来の方式では、システム構成上、コマンドの投入先となるＮＥが新設／減設されたというような情報をＯＳＳが認識するまでに時間的差異が発生することは否めず、そのためデータの誤投入や投入漏れを引き起こす要因となり得る。
【０００６】
図５に、従来のＮＥ特定方法を用いるシステムにおける、振り分け機能部の動作を示す。従来はＯＳＳの振り分け機能によってＮＥを選択していたため、ＮＥを増減する工事があると、工事終了後に振り分け機能部の機能変更を実施しなければならなかった。すなわち、図５に示す振り分け機能部の機能を、ＮＥ増減の都度、変更しなければならなかったということである。
【０００７】
上述の振り分け機能部の機能変更が確実に行われるまでの間は、ＯＳＳが認識しているＮＥの収容状況と、実際のＮＥの収容状況との間に差異が生じることになり、前述のような種々の問題が発生したという状況であったものである。
【０００８】
【発明が解決しようとする課題】
本発明の目的は、従来の技術における上述のような問題を解消し、ＮＥの新設／減設にも影響を受けることなく、常に実際のＮＥの収容状況と同期の取れた情報を管理することにより、顧客へのサービス提供や設備情報の更新に必要なコマンド投入を正確かつ迅速に実行可能とすることにある。
【０００９】
【課題を解決するための手段】
上述の目的を達成するために、本発明に係るＮＥ特定方法は、ＮＥのメッセージを監視し、コンフィグレーションデータの変更を示すメッセージの受信を契機にＮＥに対してコンフィグレーションデータの収集を実行し、ＮＥを特定するために必要な各種情報をＮＥそのものを表わす情報と関連付けて設定ポリシー情報ＤＢに登録するステップと、上位ＯＳＳ装置またはＯＳＳクライアントから設定データを受信後、前記ＮＥを特定するために必要な各種情報が存在するか否かを確認し、抽出した前記ＮＥを特定するために必要な各種情報をキーとして設定情報ポリシーＤＢに検索要求を行うステップと、検索結果として返信される前記ＮＥそのものを表わす情報を当該データの投入対象情報として、これを設定データの付加情報としてコマンド編集部に送信するステップとを有することを特徴とする。
【００１０】
ここで、前記ＮＥを特定するために必要な各種情報が、加入者番号，地域情報もしくは装置情報であり、また、前記ＮＥそのものを表わす情報が、ノード名称，ＩＰアドレスもしくはＮＥ種別であることが好ましい。
【００１１】
また、上記ＮＥ特定方法を用いる、本発明のコマンド投入支援システムは、複数の物理的なＮＥから構成されるＮＷにおけるコマンド投入支援システムであって、顧客が要望するサービスやＮＥの装置増減設に必要な設備データを入力するための操作端末もしくは上位ＯＳＳと設定データを授受する通信手段と、入力された設定データを受信して振り分け機能部に送るデータ受け付け部と、前記ＮＥを特定するために必要な各種情報をＮＥそのものを表す情報と関連づけて格納した設定ポリシー情報ＤＢと、ＮＥとの間のメッセージ送受信を常時監視し、予め決められたメッセージの検出を契機に前記設定ポリシー情報ＤＢが必要とするＮＥを特定するためのデータをＮＥから収集するポリシー情報収集部と、前記データ受け付け部から送られた設定データを解析することにより、データを構成する一部である前記ＮＥを特定するための情報を抽出し、設定ポリシー情報ＤＢに対してこれらをキー情報に検索し、その結果抽出されるＮＥ情報から、前記入力された設定データの投入先となるＮＥを特定する論理を有する振り分け機能部と、投入先となるＮＥの情報から、設定データを当該ＮＥが認識可能なコマンド構文に変換した後、実際にＮＥに対してコマンドの投入や応答メッセージの監視を行うコマンド編集部とを有することを特徴とする。
【００１２】
ここで、前記ＮＥを特定するために必要な各種情報が、加入者番号，地域情報もしくは装置情報であり、また、前記ＮＥそのものを表わす情報が、ノード名称，ＩＰアドレスもしくはＮＥ種別であることが好ましい。
【００１３】
より具体的には、本発明においては、常時、ＮＥのメッセージを監視し、コンフィグレーションデータの変更を示すメッセージであるコンフィグレーションデータ変更通知や再開（起動）通知の受信を契機に、ＮＥに対してコンフィグレーションデータの収集を実行し、ＮＥを特定するために必要な加入者番号や地域情報，装置情報を、ＮＥそのものを表わすノード名称，ＩＰアドレス，ＮＥ種別等と関連付けて設定ポリシー情報ＤＢに登録する。
【００１４】
そして、上位ＯＳＳ装置または端末装置などのＯＳＳクライアントから設定データを受信後、前記の加入者番号や地域情報、装置情報などのキーとなる情報が存在するか確認を実施し、振り分け機能部へ送信する。振り分け機能部では、データ方加入者番号や地域情報，装置情報等のキーとなる情報を抽出し、それらの情報をキーとして上述の設定情報ポリシーＤＢに検索要求を行う。検索結果として返信される前記ＮＥそのものを表わす情報（ノード名称，ＩＰアドレス，ＮＥ種別等）は当該データの投入対象情報となり、設定データの付加情報としてコマンド編集部に送信される。
【００１５】
コマンド編集部では、ＮＥ情報からＮＥ種別を認識し、設定データを当該ＮＥが認識可能なコマンド形式に変換した後、ＩＰアドレスを用いて特定した対象ＮＥにデータを投入する。投入後はコマンドの応答メッセージ監視を行い、返信されたコマンドの処理結果メッセージを、投入元である上位ＯＳＳまたは操作端末などのＯＳＳクライアントに送信する。
【００１６】
上述のように構成される本発明によれば、物理的なＮＷを構成する複数のＮＥと接続される構成において、ＮＥが収容する顧客へのサービス提供やＮＥの設備情報更新のために、ＮＷを構成するＮＥに対してコマンドを投入する際に、振り分け機能部がコマンドの投入対象となるＮＥを設定ポリシー情報ＤＢから検索する方式とすることにより、ＮＥの新設／減設，局番情報の追加，地域情報の追加時にも、設定ポリシー情報ＤＢが保持する情報の更新のみで対応可能になるため、振り分け機能部が有するコマンド投入先を特定する論理は影響を受けることなく動作を続けることが可能となる。
【００１７】
また、ポリシー情報収集部がＮＥからの自律メッセージの監視を行い、コンフィグレーションデータの変更通知およびＮＥの起動（再開）通知を契機として、ＮＥが有するコンフィグレーションデータから設定ポリシー情報ＤＢが必要とするデータを収集することにより、常にＮＥと同期の取れたデータを管理することが可能となり、データの誤投入や設定漏れを防止することが可能となる。
【００１８】
【発明の実施の形態】
以下、本発明の実施の形態を、図面に示す好適実施例に基づいて、詳細に説明する。
【００１９】
図１は、本発明に係るＮＥ特定方法を用いるＯＳＳの構成を示す図である。図１において、１０はＯＳＳ、１２はアプリケーションプログラム、１４は設定ポリシー情報ＤＢを示している。また、１２ａはデータ受け付け部、１２ｂは振り分け機能部、１２ｃはコマンド編集部、１６はポリシー情報収集部、２０は上位ＯＳＳ、２２は保守者の操作端末を示している。なお、このＯＳＳ１０は、複数のＮＥ（ＮＥ−Ａ〜ＮＥ−Ｄとして例示されている）から構成されるＮＷ上に接続されている。
【００２０】
操作端末２２には、ＧＵＩから投入されたデータをデータ受け付け部１２ａに送信するデータ投入機能と、データ受け付け部１２ａからのメッセージをＧＵＩに表示し、保守者にリアクションを促すメッセージ表示機能が存在する。
【００２１】
上位ＯＳＳ２０では、収容している顧客に関するデータやＮＥの設備情報を管理しており、顧客からの遠隔操作や保守者によるサービス要求、またはＮＷの変更に伴うＮＥの設備情報変更に対応してデータを作成データを投入する機能や、データ受付部からのメッセージを解析して管理するデータを更新する機能を保持する。
【００２２】
ポリシー情報収集部１６では、ＮＥからのメッセージ監視を常時行い、予め登録されているコンフィグレーションデータ変更通知や再開（起動）通知メッセージの受信を契機に、当該ＮＥに対してコンフィグレーションデータの収集を実行し、収集したコンフィグレーションデータから、ＮＥの特定に必要となる加入者番号や地域情報，装置情報などを設定ポリシー情報ＤＢ１４に登録する。
【００２３】
振り分け機能部１２ｂでは、図２に示すように、データ受け付け部１２ａから送信された設定データを解析することにより、加入者番号や地域情報，装置情報などを抽出し、それらの情報をキーに設定ポリシー情報ＤＢ１４に検索要求を行う。そして、検索結果として通知されるＮＥ情報（ノード名称，ＩＰアドレス，ＮＥ種別など）を付加情報としてデータをコマンド編集部１２ｃに送信する。これにより、コマンド編集部１２ｃでは、当該ＮＥが認識可能なコマンド形式への変換およびＮＥへのコマンド投入を実行することが可能となる。
【００２４】
〔実施例〕
ＯＳＳ１０の内部にあるポリシー情報収集部１６が、再開（起動）通知とコンフィグレーションデータ変更通知を常時監視している状況において、ＯＳＳ１０の配下に監視・制御の対象となるＮＥが新設される際、ＮＥでは最新のファイルで運用を開始するための起動処理を実施する。
【００２５】
すなわち、図３に示すように、起動処理における起動（再開）通知を受信したポリシー情報収集部１６では、当該ＮＥに対してコンフィグレーションデータの収集を実行し、そのデータの中から、ＮＥ情報であるノード名称，ＩＰアドレス，ＮＥ種別などと対応の取れる形式で、加入者番号や地域情報，装置情報などを設定ポリシー情報ＤＢ１４に新規に登録を行う。
【００２６】
また、運用開始後にＮＥの収容する加入者が増加して加入者番号が枯渇すると、局番情報を追加するためのコンフィグレーションデータ更新が実施される。ＮＥでのコンフィグレーションデータの更新完了後に送信されるコンフィグレーションデータ変更通知の受信を契機に、ポリシー情報収集部１６は再びコンフィグレーションデータの収集を実行し、ノード情報，ＩＰアドレス，ＮＥ種別をキーとして加入者番号や地域情報，装置情報等の更新を、設定ポリシー情報ＤＢ１４に対して実行する（図３参照）。
【００２７】
以下に、図４を用いて、上述のように構成される、本実施形態のＯＳＳ１０における特徴的動作の全体を説明する。
【００２８】
ＶｏＩＰを希望する顧客からの申し込み（動作ステップ３１、以下、単にステップ３１等とする）があると、操作端末２２のＧＵＩから割り当てられた加入者番号（Ｅ．１６４番号など）および付加サービス等のＳＯデータが投入される（ステップ３２）。投入されたＳＯデータを受信した（ステップ３３）データ受け付け部１２ａでは、ＳＯデータの内容に加入者番号が含まれていることを確認し、振り分け機能部１２ｂに送信する（ステップ３４）。
【００２９】
振り分け機能部１２ｂでは、加入者番号をキーに設定ポリシー情報ＤＢ１４に検索要求（ステップ３５）を行い、検索結果として通知されるＮＥ情報（ノード名称，ＩＰアドレス，ＮＥ種別など）を、ＳＯデータの付加情報としてコマンド編集部１２ｃに送信する（ステップ３６）。
【００３０】
ＳＯデータとＮＥ情報を受信したコマンド編集部１２ｃでは、ＮＥ情報を参照することによりＮＥ種別を確認し（ステップ３７）、ＳＯデータを当該ＮＥが認識可能な電文形式に変換（ステップ３８）した後、ノード名称とＩＰアドレスを指定することにより、対象ＮＥに対してコマンドを送信（ステップ３９）し、コマンドの応答メッセージを監視する。
【００３１】
コマンド編集部１２ｃが、ＮＥから通知されたコマンドの実行結果を受信する（ステップ４０）と、これを操作端末２２に送信し、操作端末２２がＧＵＩにその結果を表示する（ステップ４１）ことにより、ＳＯデータの設定作業が終了となる。
【００３２】
上記実施形態に示したようなＯＳＳ１０によるデータ投入支援動作により、ＮＥの新設／減設にも影響を受けることなく、顧客へのサービス提供や設備情報の更新に必要なコマンド投入を正確かつ迅速に実行可能となる。
【００３３】
なお、上記実施形態は本発明の一例を示すものであり、本発明はこれに限定されるべきものではなく、本発明の要旨を逸脱しない範囲内で、適宜の変更・改良を行ってもよいことはいうまでもない。
【００３４】
【発明の効果】
以上、詳細に説明したように、本発明によれば、複数のＮＥが混在するＮＷにおいて、設定データの投入先となる任意のＮＥを識別するための設定ポリシー情報を、運用中の実ＮＥからのコンフィグデータの変更を意味するコンフィグデータ変更通知と再開（起動）通知を契機に、当該ＮＥのコンフィグデータを収集することにより、顧客へのサービスリリースやＮＥの設備情報更新時のデータ設定にも正確かつ迅速に対応可能となる。
【図面の簡単な説明】
【図１】本発明に係るＮＥ特定方法を用いるＯＳＳの構成を示す図である。
【図２】図１中の振り分け機能部の機能構成を説明する図である。
【図３】図１中のポリシー情報収集部の機能構成を説明する図である。
【図４】実施形態に係るＯＳＳの動作の流れを示す図である。
【図５】従来のＯＳＳにおける振り分け機能部の機能を説明する図である。
【符号の説明】
１０　ＯＳＳ
１２　アプリケーションプログラム（ＡＰ）
１２ａ　データ受け付け部
１２ｂ　振り分け機能部
１２ｃ　コマンド編集部
１４　設定ポリシー情報ＤＢ
１６　ポリシー情報収集部
２０　上位ＯＳＳ
２２　（保守者の）操作端末
３１〜４１　動作ステップ
【図１】
2004080209.tif 000003
【図２】
2004080209.tif 000004
【図３】
2004080209.tif 000005
【図４】
2004080209.tif 000006
【図５】
2004080209.tif 000007